(57)【要約】【課題】決済端末が所定領域内に存在する場合に限り、当該決済端末からの決済処理を行うことができる。【解決手段】決済システム５では、情報管理装置４が、リーダ装置３から取得した第１識別情報１ａ１で識別される無線タグに対応する検出情報を更新する。情報管理装置４は、決済処理装置２から決済可否要求を受け付けると、管理情報４ａ１を参照して、決済処理装置２から取得した第２識別情報１ｂ２で識別される決済受付装置１に対応する検出情報に基づいて決済処理装置２に決済情報１ｂ１に基づく決済の可否を通知する。  これにより、所定領域内にのみ存在する決済受付装置１からの決済を決済処理装置２により正常に行われるようになる。したがって、決済受付装置１が所定領域外に持ち出されて、当該決済受付装置１により不正に決済することが防止されるようになる。【選択図】図１
2018180572.tif 000002
【特許請求の範囲】
【請求項１】
第１識別情報が記憶された無線タグが取り付けられ、決済情報を受け付けて前記決済情報と自身の識別情報である第２識別情報とを記憶する第１記憶部を有する決済受付装置と、
前記決済受付装置から通知された前記決済情報及び前記第２識別情報を記憶する第２記憶部と決済処理を実行する決済処理部とを有する決済処理装置と、
所定領域内の前記無線タグから前記第１識別情報を読み取るリーダ装置と、
前記リーダ装置と前記無線タグと前記決済受付装置と前記無線タグが前記リーダ装置の読み取り範囲内で検出されているか否かを表す検出情報とを対応付けた管理情報を保持する第３記憶部と、前記リーダ装置から取得した前記第１識別情報で識別される前記無線タグに対応する前記検出情報を更新するタグ情報更新部と、前記決済処理装置から決済可否要求を受け付けると、前記管理情報を参照して、前記決済処理装置から取得した前記第２識別情報で識別される前記決済受付装置に対応する前記検出情報に基づいて前記決済処理装置に前記決済情報に基づく決済の可否を通知する決済可否通知部と、を有する情報管理装置と、
を備える決済システム。
【請求項２】
前記決済可否通知部は、前記検出情報が、前記無線タグが前記リーダ装置の読み取り範囲内で検出されていることを示す場合に、前記決済処理装置に前記決済の許可を通知する、
請求項１に記載の決済システム。
【請求項３】
前記決済可否通知部は、前記検出情報が、前記無線タグが前記リーダ装置の読み取り範囲内で検出されていないことを示す場合に、前記決済処理装置に前記決済の不許可を通知する、
請求項１に記載の決済システム。
【請求項４】
前記決済可否通知部は、前記管理情報を参照して、前記決済処理装置から取得した前記第２識別情報で識別される前記決済受付装置が含まれていない場合に、前記決済処理装置に前記決済の不許可を通知する、
請求項１に記載の決済システム。
【請求項５】
前記決済可否通知部は、前記検出情報が、前記無線タグが前記リーダ装置の読み取り範囲内で検出されていないことを示す場合に、前記決済受付装置に前記決済の停止を通知する、
請求項１に記載の決済システム。
【請求項６】
所定領域内の、第１識別情報が記憶された無線タグが取り付けられ、決済情報を受け付けて前記決済情報と自身の識別情報である第２識別情報とを記憶する第１記憶部を有する決済受付装置の前記無線タグから前記第１識別情報を読み取ると前記無線タグと前記決済受付装置と前記無線タグが前記リーダ装置の読み取り範囲内で検出されているか否かを表す検出情報とを対応付けた管理情報を保持する第３記憶部と、
前記リーダ装置から取得した前記第１識別情報で識別される前記無線タグに対応する前記検出情報を更新するタグ情報更新部と、
前記決済受付装置から通知された前記決済情報及び前記第２識別情報を記憶する第２記憶部と決済処理を実行する決済処理部とを有する決済処理装置から決済可否要求を受け付けると、前記管理情報を参照して、前記決済処理装置から取得した前記第２識別情報で識別される前記決済受付装置に対応する前記検出情報に基づいて前記決済処理装置に前記決済情報に基づく決済の可否を通知する決済可否通知部と、
を有する情報管理装置。
【発明の詳細な説明】
【技術分野】
【０００１】
本発明は、決済システム及び情報管理装置に関する。
【背景技術】
【０００２】
近年、小売店、飲食店等において、決済処理の複数の処理工程を、決済を受け付ける決済端末、決済処理を実行する決済サーバ等に分散させて、システム全体のコストを低減させることが行われている（例えば、特許文献１参照）。
【０００３】
例えば、飲食店において決済を行う際に、店員は決済端末を持ってテーブル席に行き、その場で顧客から決済金額等を受け付ける。店員は決済金額等を決済端末に入力すると、決済端末が決済サーバと通信を行って、決済サーバが当該決済における決済処理を行う。決済サーバは決済処理を適切に終了すると、決済終了を決済端末に通知する。店員は決済端末を通じて決済終了を確認することができる。
【先行技術文献】
【特許文献】
【０００４】
【特許文献１】特開２００３−２３３８７４号公報
【発明の概要】
【発明が解決しようとする課題】
【０００５】
しかし、このように決済処理の複数の処理工程が分散されていると、例えば、決済端末の利用権限がある店員でも、決済端末を監督者の目が届かないような場所に移動して不正に決済を行うことが可能となる。
【０００６】
本発明は、このような点に鑑みてなされたものであり、決済端末が所定領域内に存在する場合に限り、当該決済端末からの決済処理を行うことができる決済システム及び情報管理装置を提供することを目的とする。
【課題を解決するための手段】
【０００７】
本発明の一観点によれば、第１識別情報が記憶された無線タグが取り付けられ、決済情報を受け付けて前記決済情報と自身の識別情報である第２識別情報とを記憶する第１記憶部を有する決済受付装置と、前記決済受付装置から通知された前記決済情報及び前記第２識別情報を記憶する第２記憶部と決済処理を実行する決済処理部とを有する決済処理装置と、所定領域内の前記無線タグから前記第１識別情報を読み取るリーダ装置と、前記リーダ装置と前記無線タグと前記決済受付装置と前記無線タグが前記リーダ装置の読み取り範囲内で検出されているか否かを表す検出情報とを対応付けた管理情報を保持する第３記憶部と、前記リーダ装置から取得した前記第１識別情報で識別される前記無線タグに対応する前記検出情報を更新するタグ情報更新部と、前記決済処理装置から決済可否要求を受け付けると、前記管理情報を参照して、前記決済処理装置から取得した前記第２識別情報で識別される前記決済受付装置に対応する前記検出情報に基づいて前記決済処理装置に前記決済情報に基づく決済の可否を通知する決済可否通知部と、を有する情報管理装置と、を備える決済システムが提供される。
【０００８】
また、本発明の一観点によれば、上記決済システムの情報管理装置が提供される。
【発明の効果】
【０００９】
開示の技術によれば、決済端末が所定領域内に存在する場合に限り、当該決済端末からの決済処理を行うようにすることで、不正に決済することを防止することができる。
【図面の簡単な説明】
【００１０】
【図１】第１の実施の形態の決済システムを説明する図である。
【図２】第２の実施の形態の決済システムを示す図である。
【図３】第２の実施の形態のＲＦＩＤ制御装置のハードウェア構成の一例を示す図である。
【図４】第２の実施の形態のＲＦＩＤ制御装置が保持するタグ情報の一例を示す図である。
【図５】第２の実施の形態の管理サーバが保持する管理情報の一例を示す図である。
【図６】第２の実施の形態の決済端末のハードウェア構成の一例を示す図である。
【図７】第２の実施の形態の決済システムで実行される決済処理を示すシーケンス図である。
【図８】第２の実施の形態の管理サーバで実行される検出情報更新処理を示すフローチャートである。
【図９】第２の実施の形態の管理サーバで実行される決済端末確認処理を示すフローチャートである。
【図１０】第３の実施の形態の決済システムで実行される決済処理を示すシーケンス図である。
【発明を実施するための形態】
【００１１】
以下、図面を参照して、実施の形態について説明する。
［第１の実施の形態］
第１の実施の形態の決済システムについて図１を用いて説明する。
【００１２】
図１は、第１の実施の形態の決済システムを説明する図である。
決済システム５は、決済受付装置１と、決済処理装置２と、リーダ装置３と、情報管理装置４とを備えている。
【００１３】
決済受付装置１は、例えば、決済端末であって、小売店、飲食店等の店員の操作入力に応じて、決済金額、カード情報等の決済情報を受け付ける。このような決済受付装置１は、第１識別情報１ａ１が記憶された無線タグ１ａが取り付けられ、決済情報１ｂ１を受け付けて決済情報１ｂ１と自身の識別情報である第２識別情報１ｂ２とを記憶する第１記憶部１ｂを有する。
【００１４】
決済処理装置２は、例えば、決済サーバであって、決済受付装置１から通知された決済情報１ｂ１及び第２識別情報１ｂ２を記憶する第２記憶部２ａと決済処理を実行する決済処理部２ｂとを有する。
【００１５】
リーダ装置３は、所定領域内の無線タグ１ａから第１識別情報１ａ１を読み取る。リーダ装置３には、アンテナ（図示を省略）が接続されており、当該アンテナによる読み取り範囲は所定領域内に設定されている。リーダ装置３は、アンテナから所定の電波を出力して無線タグ１ａとの通信を行って、第１識別情報１ａ１を読み取る。
【００１６】
情報管理装置４は、決済処理装置２及びリーダ装置３と通信可能に接続されている。このような情報管理装置４は、第３記憶部４ａと、タグ情報更新部４ｂと、決済可否通知部４ｃとを有している。
【００１７】
第３記憶部４ａは、リーダ装置３と無線タグ１ａと決済受付装置１と無線タグ１ａがリーダ装置３の読み取り範囲内で検出されているか否かを表す検出情報とを対応付けた管理情報４ａ１を保持する。
【００１８】
タグ情報更新部４ｂは、リーダ装置３から取得した第１識別情報１ａ１で識別される無線タグ１ａに対応する検出情報を更新する。
決済可否通知部４ｃは、決済処理装置２から決済可否要求を受け付けると、管理情報４ａ１を参照して、決済処理装置２から取得した第２識別情報１ｂ２で識別される決済受付装置１に対応する検出情報に基づいて決済処理装置２に決済情報１ｂ１に基づく決済の可否を通知する。
【００１９】
次に、このような決済システム５で実行される決済方法について説明する。
まず、情報管理装置４は、予め、管理情報４ａ１を保持している。管理情報４ａ１は、例えば、「リーダ装置（「Ｎｏ．１」）」、「無線タグ（「ａａａ（第１識別情報１ａ１）」）」、「決済受付装置（「ｂｂｂ（第２識別情報１ｂ２）」）」が対応付けられて、さらに、「検出情報」が対応付けられている。なお、「検出情報」は、初期値として「未検出」が設定されている。
【００２０】
リーダ装置３（「Ｎｏ．１」）は、所定のタイミングで、例えば、決済の実施が許容されている領域内の決済受付装置１（「ｂｂｂ」）に取り付けられている無線タグ１ａから第１識別情報１ａ１（「ａａａ」）を読み取る。
【００２１】
情報管理装置４では、タグ情報更新部４ｂが、リーダ装置３（「Ｎｏ．１」）から無線タグ１ａの第１識別情報１ａ１（「ａａａ」）を取得して、管理情報４ａ１において、第１識別情報１ａ１（「ａａａ」）に対応する検出情報を「検出中」に更新する（図１参照）。よって、第１識別情報１ａ１（「ａａａ」）を記憶する無線タグ１ａが取り付けられた決済受付装置１（「ｂｂｂ」）が、決済の実施が許容されている領域内に存在していることが分かる。
【００２２】
そして、決済受付装置１は、店員からの操作入力に基づき、決済情報１ｂ１を受け付けると、決済情報１ｂ１及び第２識別情報１ｂ２（「ｂｂｂ」）を決済処理装置２に通知する。決済処理装置２は、受け付けた決済情報１ｂ１に基づき決済処理を行う前に、第２識別情報１ｂ２（「ｂｂｂ」）と共に決済可否要求を情報管理装置４に通知する。
【００２３】
情報管理装置４では、決済可否通知部４ｃは、決済処理装置２から決済可否要求を受け付けると、以下の処理を実行する。すなわち、図１の場合では、決済可否通知部４ｃは、管理情報４ａ１を参照して、決済処理装置２から取得した第２識別情報１ｂ２（「ｂｂｂ」）に対応する検出情報が「検出中」であることを判別する。
【００２４】
これは、決済の実施が許容されている領域内に存在している決済受付装置１（第２識別情報１ｂ２が「ｂｂｂ」）から決済処理装置２に決済処理を実行させようとしていることが分かる。
【００２５】
これにより、決済可否通知部４ｃは、このような判定に基づき、決済処理装置２に決済情報１ｂ１に基づく決済の許可を通知する。
決済処理装置２は、リーダ装置３（Ｎｏ．１）の読み取り領域内に存在する、第１識別情報１ａ１（「ａａａ」）が取り付けられた決済受付装置１（第２識別情報１ｂ２が「ｂｂｂ」）から通知された決済情報に基づく決済処理を実行する。
【００２６】
なお、決済処理装置２は、決算処理が完了すると、その旨を決済受付装置１に通知する。店員は、決済受付装置１により決済処理の完了を確認することができる。
上記決済システム５では、情報管理装置４が、リーダ装置３から取得した第１識別情報１ａ１で識別される無線タグ１ａに対応する（管理情報４ａ１の）検出情報を更新する。情報管理装置４は、決済処理装置２から決済可否要求を受け付けると、管理情報４ａ１を参照して、決済処理装置２から取得した第２識別情報１ｂ２で識別される決済受付装置１に対応する検出情報に基づいて決済処理装置２に決済情報１ｂ１に基づく決済の可否を通知する。
【００２７】
これにより、所定領域内にのみ存在する決済受付装置１からの決済処理を決済処理装置２により正常に行われるようになる。したがって、決済受付装置１が所定領域外に持ち出されて、当該決済受付装置１により不正に決済することが防止されるようになる。
【００２８】
［第２の実施の形態］
第２の実施の形態では、第１の実施の形態の決済システムをより具体的に説明する。
第２の実施の形態の決済システムについて図２を用いて説明する。
【００２９】
図２は、第２の実施の形態の決済システムを示す図である。
決済システム８０は、例えば、飲食店等の店舗に適用されて、ＲＦＩＤ（Radio Frequency IDentifier）制御装置１０と決済端末４０と決済サーバ５０と管理サーバ６０とを有している。
【００３０】
ＲＦＩＤ制御装置１０は、例えば、店舗のバックヤードに設置されている。ＲＦＩＤ制御装置１０は、店舗のＡ室に設置されている第１ＲＦＩＤリーダ２０（リーダ装置）と、店舗のＢ室に設定されている第２ＲＦＩＤリーダ３０（リーダ装置）とが接続されている。なお、第１ＲＦＩＤリーダ２０はアンテナ２１から発生される電波の範囲はＡ室内である。また、第２ＲＦＩＤリーダ３０はアンテナ３１から発生される電波の範囲はＢ室内である。
【００３１】
ＲＦＩＤ制御装置１０は、このような第１ＲＦＩＤリーダ２０を制御して、第１ＲＦＩＤリーダ２０にＡ室内のＲＦＩＤタグからタグＩＤ（第１識別情報）を読み取らせる。また、ＲＦＩＤ制御装置１０は、同様に、第２ＲＦＩＤリーダ３０を制御して、第２ＲＦＩＤリーダ３０にＢ室内のＲＦＩＤタグからタグＩＤを読み取らせる。ＲＦＩＤ制御装置１０は、第１ＲＦＩＤリーダ２０が読み取ったタグＩＤを第１ＲＦＩＤリーダ２０ごとに保持し、第２ＲＦＩＤリーダ３０が読み取ったタグＩＤを第２ＲＦＩＤリーダ３０ごとに保持する。また、ＲＦＩＤ制御装置１０は、第１，第２ＲＦＩＤリーダ２０，３０からタグＩＤを取得すると、管理サーバ６０にそれらのタグＩＤを通知する。
【００３２】
なお、ＲＦＩＤ制御装置１０は、管理サーバ６０からタグＩＤの読み取り要求に応じて、第１，第２ＲＦＩＤリーダ２０，３０に、ＲＦＩＤタグのタグＩＤを読み取らせて、読み取ったタグＩＤを取得することも可能である。
【００３３】
決済端末４０（決済受付装置）は、例えば、決済サーバ５０と無線通信することができ、店員が携帯可能なハンディタイプの端末である。このような決済端末４０は、店員の操作入力に応じて、決済金額、カード情報等の決済情報を受け付ける。なお、決済端末４０は、例えば、カードに付された磁気ストライプまたはＩＣチップを読み取るための読み取り装置が設置されている。また、決済端末４０は、決済情報と当該決済端末４０を識別する端末ＩＤ（第２識別情報）とを決済サーバ５０に通知して、決済サーバ５０に決済情報に基づく決済処理を実行させる。また、図２では、決済端末４０の表面に、タグＩＤが記憶されたＲＦＩＤタグ４７が取り付けられている場合を示している。
【００３４】
決済サーバ５０は、決済端末４０及び管理サーバ６０と通信可能に接続されている。なお、決済サーバ５０（決済処理装置）は、管理サーバ６０に対して、決済端末４０と同様に無線で通信可能に接続されても構わない。決済サーバ５０は、決済端末４０から決済情報及び決済端末４０の端末ＩＤが通知される。決済サーバ５０は、通知された決済情報に基づき決済処理を実行して、決済が終了すると決済終了通知を決済端末４０に通知する。また、決済サーバ５０は、管理サーバ６０に、決済可否要求と共に決済端末４０の端末ＩＤを通知する。
【００３５】
管理サーバ６０（情報管理装置）は、ネットワーク７０を介してＲＦＩＤ制御装置１０に通信可能に接続され、決済サーバ５０とも通信可能に接続されている。管理サーバ６０は、ＲＦＩＤ制御装置１０から通知されるタグＩＤとタグＩＤを読み取った第１，第２ＲＦＩＤリーダ２０，３０との情報、決済サーバ５０から通知される決済端末４０の端末ＩＤ等を用いて、決済端末４０が決済許容領域内に存在していることを検出する。管理サーバ６０は、このような決済端末４０による決済処理の可否を判定して、判定結果を決済サーバ５０に通知する。管理サーバ６０で実行される処理の詳細については後述する。なお、管理サーバ６０は、場合によっては、決済端末４０と直接無線通信を行うことができる。
【００３６】
次に、決済システム８０に含まれる各構成のハードウェア構成について説明する。
まず、ＲＦＩＤ制御装置１０のハードウェア構成例について図３を用いて説明する。
図３は、第２の実施の形態のＲＦＩＤ制御装置のハードウェア構成の一例を示す図である。
【００３７】
ＲＦＩＤ制御装置１０は、制御ユニット１１と、制御ユニット１１にそれぞれ接続されたディスプレイ１２及び入力ユニット１３を有している。
制御ユニット１１は、ＣＰＵ（Central Processing Unit）１１ａにより装置全体が制御されている。ＣＰＵ１１ａには、バス１１ｇを介して、ＲＡＭ（Random Access Memory）１１ｂと、ＨＤＤ（Hard Disk Drive）１１ｃと、グラフィック処理部１１ｄと、入出力インタフェース１１ｅと、通信制御部１１ｆとがそれぞれ接続されている。
【００３８】
ＲＡＭ１１ｂには、ＣＰＵ１１ａに実行させるＯＳ（Operating System）のプログラムやＲＦＩＤ制御装置１０を実行するためのアプリケーションプログラムの少なくとも一部が一時的に格納される。また、ＲＡＭ１１ｂには、ＣＰＵ１１ａによる処理に必要な各種データまたは処理で生成されたデータ等が格納される。
【００３９】
ＨＤＤ１１ｃには、ＯＳやアプリケーションプログラムが格納される。
グラフィック処理部１１ｄには、ディスプレイ１２が接続されている。グラフィック処理部１１ｄは、ＣＰＵ１１ａからの命令に従って、画像をディスプレイ１２の画面に表示させる。
【００４０】
入出力インタフェース１１ｅには、入力ユニット１３が接続されている。なお、入力ユニット１３は、キーボード、マウス、または、ディスプレイ１２に取り付けられるタッチパネル等の制御ユニット１１に対して入力を行うものである。また、入出力インタフェース１１ｅは、可搬型記録媒体１４への情報の書き込み、及び可搬型記録媒体１４からの情報の読み出しが可能な可搬型記録媒体インタフェースと接続可能になっている。入出力インタフェース１１ｅは、入力ユニット１３から送られてくる信号を、バス１１ｇを介してＣＰＵ１１ａに送信する。また、入出力インタフェース１１ｅは、ＣＰＵ１１ａからの制御信号を、バス１１ｇを介して入力ユニット１３に送信する。
【００４１】
通信制御部１１ｆは、例えば、ＲＳ−２３２Ｃ（Recommended Standard 232 version C）やＵＳＢ（Universal Serial Bus）、ＬＡＮ（Local Area Network）接続の接続形式で第１ＲＦＩＤリーダ２０及び第２ＲＦＩＤリーダ３０に接続されている。通信制御部１１ｆは、第１ＲＦＩＤリーダ２０及び第２ＲＦＩＤリーダ３０との間でデータの送受信を行う。また、通信制御部１１ｆは、ネットワーク７０を介して、管理サーバ６０と通信可能に接続する。
【００４２】
なお、制御ユニット１１は、それぞれＦＰＧＡ（Field Programmable Gate Array）やＤＳＰ（Digital Signal Processer）等からなるモジュールを含んで構成することもでき、ＣＰＵ１１ａを有しない構成とすることもできる。その場合、制御ユニット１１は、それぞれ不揮発性メモリ（例えば、ＥＥＰＲＯＭ（Electrically Erasable and Programmable Read Only Memory）、フラッシュメモリ、フラッシュメモリ型メモリカード等）を備え、モジュールのファームウェアを記憶する。不揮発性メモリは、可搬型記録媒体１４、あるいは通信制御部１１ｆを介してファームウェアを書き込むことができる。このように制御ユニット１１は、不揮発性メモリに記憶されているファームウェアを書き換えることにより、ファームウェアの更新をすることもできる。
【００４３】
以上のようなハードウェア構成によって、第２の実施の形態の処理機能を実現することができる。
なお、決済サーバ５０及び管理サーバ６０も少なくともＲＦＩＤ制御装置１０の制御ユニット１１と同様のハードウェア構成を備えている。このため、決済サーバ５０及び管理サーバ６０のハードウェア構成の説明については省略する。
【００４４】
次に、このようなＲＦＩＤ制御装置１０が保持するタグ情報について図４を用いて説明する。
図４は、第２の実施の形態のＲＦＩＤ制御装置が保持するタグ情報の一例を示す図である。
【００４５】
ＲＦＩＤ制御装置１０は、例えば、ＨＤＤ１１ｃに、第１ＲＦＩＤリーダ２０から読み取ったタグＩＤ、第２ＲＦＩＤリーダ３０から読み取ったタグＩＤのタグ情報１１ｃ１を保持するタグ情報保持部を備える。
【００４６】
タグ情報保持部は、タグ情報１１ｃ１を読み取ったＲＦＩＤリーダごとに保持している。例えば、図４に示されるように、第１ＲＦＩＤリーダ２０が読み取ったタグＩＤとして、「００１」、「００３」、「０１１」を保持している。また、第２ＲＦＩＤリーダ３０が読み取ったタグＩＤとして、「００５」、「００６」、「０１２」を保持している。
【００４７】
次に、管理サーバ６０が保持する管理情報について図５を用いて説明する。
図５は、第２の実施の形態の管理サーバが保持する管理情報の一例を示す図である。
管理サーバ６０は、例えば、ＨＤＤに、管理情報６１ｃ１を予め保持する管理情報保持部を備える。
【００４８】
管理情報６１ｃ１は、例えば、店舗内の所定の室内で利用が許可されている決済端末４０がその室内に存在しているかを表すものである。このような管理情報６１ｃ１は、第１，第２ＲＦＩＤリーダ２０，３０と決済端末４０を識別する端末ＩＤとＲＦＩＤタグ４７を識別するタグＩＤと第１，第２ＲＦＩＤリーダ２０，３０の読み取り範囲内にて当該ＲＦＩＤタグ４７が検出されているか否かを表す検出情報とが予め対応付けられている。なお、既述の通り、検出情報は初期値としては「未検出」が設定されている。
【００４９】
例えば、第２の実施の形態では、店舗のＡ室には、読み取り範囲がＡ室内である第１ＲＦＩＤリーダ２０が対応されている。図５に示す場合には、このような第１ＲＦＩＤリーダ２０が適応されたＡ室で、ＲＦＩＤタグ４７（タグＩＤ「００１」）が取り付けられた決済端末４０（端末ＩＤ（「ａａ」））の利用が設定されている。同様に、Ａ室で、ＲＦＩＤタグ４７（タグＩＤ「００４」）が取り付けられた決済端末４０（端末ＩＤ（「ａｂ」））の利用が設定されている。Ｂ室で、ＲＦＩＤタグ４７（タグＩＤ「００５」，「００１２」）が取り付けられた決済端末４０（端末ＩＤ（「ｂｄ」，「ｂｆ」））の利用が設定されている。
【００５０】
また、図５の場合では、ＲＦＩＤタグ４７（タグＩＤ「０１１」）が取り付けられた決済端末４０（端末ＩＤ（「ａｃ」））に対応する「検出情報」が「検出中」である。このため、Ａ室内に、ＲＦＩＤタグ４７（タグＩＤ「０１１」）が取り付けられた決済端末４０（端末ＩＤ（「ａｃ」））が存在していることが分かる。また、他の「検出情報」は「未検出」であるために、Ａ室内に、その他の決済端末４０が存在していないことが分かる。
【００５１】
同様に、図５の場合では、ＲＦＩＤタグ４７（タグＩＤ「００５」）が取り付けられた決済端末４０（端末ＩＤ（「ｂｄ」））に対応する「検出情報」が「検出中」である。このため、Ｂ室内に、ＲＦＩＤタグ４７（タグＩＤ「００５」）が取り付けられた決済端末４０（端末ＩＤ（「ｂｄ」））が存在していることが分かる。また、他の「検出情報」は「未検出」であるために、Ｂ室内に、その他の決済端末４０が存在していないことが分かる。
【００５２】
また、図５の場合では、ＲＦＩＤタグ４７（タグＩＤ「０１１」）が取り付けられた決済端末４０（端末ＩＤ（「ａｃ」））は、第１ＲＦＩＤリーダ２０に加えて、第２ＲＦＩＤリーダ３０にも設定されている。このため、決済端末４０（端末ＩＤ（「ａｃ」））は、Ａ室及びＢ室の両方での利用が設定されている。
【００５３】
なお、図５で示す「検出情報」は一例である。「検出情報」は管理サーバ６０が第１ＲＦＩＤリーダ２０及び第２ＲＦＩＤリーダ３０の読み取り状況に基づいて適宜更新されるものである。このような更新の詳細については後述する。
【００５４】
次に、決済端末４０のハードウェア構成について図６を用いて説明する。
図６は、第２の実施の形態の決済端末のハードウェア構成の一例を示す図である。
なお、ＲＦＩＤ制御装置１０と同様の構成の説明については簡略化（場合によっては省略）する。
【００５５】
決済端末４０は、制御ユニット４１と、制御ユニット４１にそれぞれ接続されたディスプレイ４２とタッチパネル４３とテンキー４４とカード処理ユニット４５とプリンタユニット４６とを有している。また、決済端末４０は、ＲＦＩＤタグ４７を有している。
【００５６】
制御ユニット４１は、ＣＰＵ４１ａにより装置全体が制御されている。ＣＰＵ４１ａには、バス４１ｇを介して、ＲＡＭ４１ｂと、フラッシュメモリ４１ｃと、グラフィック処理部４１ｄと、入出力インタフェース４１ｅと、通信制御部４１ｆとがそれぞれ接続されている。
【００５７】
このフラッシュメモリ４１ｃには、ＯＳやアプリケーションプログラムが格納される。
通信制御部４１ｆは、決済サーバ５０と無線により通信可能に接続する。また、通信制御部４１ｆは、必要に応じて、管理サーバ６０とも無線により通信可能に接続する。
【００５８】
タッチパネル４３は、ディスプレイ４２に対応付けられており、利用者によるタッチ操作を検知して、検知した信号をＣＰＵ４１ａに通知する。
テンキー４４は、０から９までの数字のボタンと共に、実行キーのボタン等を含んでいる。
【００５９】
カード処理ユニット４５は、制御ユニット４１から制御されて、カードに付加されている媒体に対して情報を読み取り、または、書き込むものである。例えば、カードに磁気ストライプが付加されていれば、カード処理ユニット４５は、磁気ストライプに記憶されている情報を読み取り、また、磁気ストライプに情報を書き込む。また、カードにＩＣチップが付加されていれば、カード処理ユニット４５は、ＩＣチップから情報を読み取り、また、ＩＣチップに情報を書き込む。
【００６０】
プリンタユニット４６は、制御ユニット４１から制御されて、決済内容を印字したレシートを出力する。
ＲＦＩＤタグ４７は、決済端末４０の筐体の表面に取り付けられ、または、決済端末４０の内部に保持されている。このようなＲＦＩＤタグ４７は、当該ＲＦＩＤタグ４７を識別する識別番号であるタグＩＤが記録されている。タグＩＤは、ＲＦＩＤタグ４７を識別する番号であって、例えば、図４及び図５で例示したような、「００１」、「００３」、「０１１」等である。
【００６１】
次に、決済システム８０で実行される決済処理について図７を用いて説明する。
図７は、第２の実施の形態の決済システムで実行される決済処理を示すシーケンス図である。
【００６２】
決済端末４０と決済サーバ５０と管理サーバ６０との各制御ユニット（ＣＰＵ）により以下の決済処理が実行される。
［ステップＳ２０］  決済端末４０は、店員からの操作入力に基づき決済金額、カード情報等の決済情報を受け付ける。
【００６３】
すると、決済端末４０は、決済情報と共に決済要求電文と端末ＩＤとを決済サーバ５０に通知する。
［ステップＳ２１］  決済サーバ５０は、ステップＳ２０で決済情報と共に決済要求電文と端末ＩＤとを受け付けると、管理サーバ６０に、ステップＳ２０で受け付けた端末ＩＤと決済端末確認要求電文とを通知する。
【００６４】
［ステップＳ２２］  管理サーバ６０（タグ情報更新部）は、検出情報更新処理を実行して、ＲＦＩＤ制御装置１０からタグ情報を受信して（図示を省略）、管理情報６１ｃ１において、受信したタグ情報に含まれるタグＩＤに対応する検出情報を更新する。
【００６５】
なお、ステップＳ２２の検出情報更新処理の詳細については後述する。
［ステップＳ２３］  管理サーバ６０（決済可否通知部）は、管理情報６１ｃ１を参照して、決済サーバ５０から受信した端末ＩＤに対応する検出情報を確認する。管理サーバ６０は、検出情報が「検出中」であることを判定する。
【００６６】
なお、ステップＳ２３の決済端末確認処理の詳細については後述する。
［ステップＳ２４］  管理サーバ６０（決済可否通知部）は、ステップ２３の処理に基づき、決済サーバ５０から通知された端末ＩＤにより識別される決済端末４０が正常に所定領域内に存在しているか否かを判別する。
【００６７】
次の処理は、決済サーバ５０から通知された端末ＩＤにより識別される決済端末４０が正常に所定領域内に存在している場合には、ステップＳ２５の処理に進められ、決済サーバ５０から通知された端末ＩＤにより識別される決済端末４０が正常に所定領域内に存在していない（異常がある）場合には、ステップＳ２８の処理に進められる。
【００６８】
［ステップＳ２５］  管理サーバ６０（決済可否通知部）は、決済サーバ５０に、決済サーバ５０から通知された端末ＩＤにより識別される決済端末４０が正常に所定領域内に存在していることを表す正常確認電文（決済の許可）を通知する。
【００６９】
［ステップＳ２６］  決済サーバ５０は、正常確認電文が通知されると、ステップＳ２０で通知された決済情報に基づき決済処理を行う。
［ステップＳ２７］  決済サーバ５０は、決済処理が適切に完了すると、決済端末４０に、決済完了電文を通知する。
【００７０】
以上により、店員は決済端末４０により決済処理が完了したことを認識する。
［ステップＳ２８］  管理サーバ６０（決済可否通知部）は、決済サーバ５０に、決済サーバ５０から通知された端末ＩＤにより識別される決済端末４０が検出されていないことを表す異常確認電文（決済の不許可）を通知する。
【００７１】
［ステップＳ２９］  決済サーバ５０は、異常確認電文が通知されると、決済端末４０に、エラー電文を通知する。
以上により、店員は決済端末４０により決済処理を行うことが防止される。
【００７２】
上記のシーケンスに基づき、決済システム８０による決済処理が実行される。
次に、図７のシーケンス図におけるステップＳ２２の検出情報更新処理について、図８を用いて説明する。
【００７３】
図８は、第２の実施の形態の管理サーバで実行される検出情報更新処理を示すフローチャートである。
管理サーバ６０の制御ユニット（ＣＰＵ）は、ＲＦＩＤ制御装置１０からタグ情報を受信するごとに以下の処理を実行する。
【００７４】
［ステップＳ２２ａ］  管理サーバ６０は、ＲＦＩＤ制御装置１０からＲＦＩＤ制御装置１０が保持するタグ情報（例えば、図４参照）を受信する。
なお、ＲＦＩＤ制御装置１０は、第１ＲＦＩＤリーダ２０及び第２ＲＦＩＤリーダ３０によりＲＦＩＤタグ４７のタグＩＤを読み取ると、第１ＲＦＩＤリーダ２０及び第２ＲＦＩＤリーダ３０と共に、読み取ったタグＩＤを含むタグ情報（例えば、図４）を管理サーバ６０に通知する。
【００７５】
または、ＲＦＩＤ制御装置１０は、管理サーバ６０から要求に応じて、第１ＲＦＩＤリーダ２０及び第２ＲＦＩＤリーダ３０により、ＲＦＩＤタグ４７のタグＩＤを読み取って、タグ情報（例えば、図４）を保持する。
【００７６】
［ステップＳ２２ｂ］  管理サーバ６０は、管理情報６１ｃ１から第１，第２ＲＦＩＤリーダ２０，３０と、第１，第２ＲＦＩＤリーダ２０，３０に対応付けられたタグＩＤとを選択する。
【００７７】
例えば、図５に示される管理情報６１ｃ１から「第１ＲＦＩＤリーダ」と「タグＩＤ（「００１」）」を選択する。
［ステップＳ２２ｃ］  管理サーバ６０は、ステップＳ２２ｂで選択した第１，第２ＲＦＩＤリーダ２０，３０と、第１，第２ＲＦＩＤリーダ２０，３０に対応付けられたタグＩＤとがタグ情報内に含まれているか否かを判定する。
【００７８】
次の処理は、タグ情報内に選択した第１，第２ＲＦＩＤリーダ２０，３０に対するタグＩＤが含まれている場合にはステップＳ２２ｄの処理に進められ、タグ情報内に選択した第１，第２ＲＦＩＤリーダ２０，３０に対するタグＩＤが含まれていない場合にはステップＳ２２ｅに進められる。
【００７９】
例えば、図４に示すタグ情報内には、ステップＳ２２ｂで選択した「第１ＲＦＩＤリーダ」及び「タグＩＤ（「００１」）」が含まれているため、ステップＳ２２ｄに進められる。
【００８０】
［ステップＳ２２ｄ］  管理サーバ６０は、管理情報６１ｃ１において、ステップＳ２２ｂで選択した第１，第２ＲＦＩＤリーダ２０，３０及びタグＩＤに対応付けられた検出情報を「検出中」に更新する。
【００８１】
例えば、図５の管理情報６１ｃ１において、図４に示すタグ情報内に含まれる「第１ＲＦＩＤリーダ」及び「タグＩＤ（「００１」）」に対応する検出情報を「検出中」に更新する。
【００８２】
［ステップＳ２２ｅ］  管理サーバ６０は、管理情報６１ｃ１において、ステップＳ２２ｂで選択した第１，第２ＲＦＩＤリーダ２０，３０及びタグＩＤに対応付けた検出情報を「未検出」に更新する。
【００８３】
なお、この場合、検出情報が「未検出」のままであれば更新を行わずに維持する。
例えば、ステップＳ２２ｂで「第１ＲＦＩＤリーダ」及び「タグＩＤ（００４）」を選択した場合には、図４のタグ情報内には、この組み合わせが含まれていない。このため、図５の管理情報６１ｃ１において、「第１ＲＦＩＤリーダ」及び「タグＩＤ（００４）」に対応する検出情報を「未検出」に更新する。
【００８４】
［ステップＳ２２ｆ］  管理サーバ６０は、管理情報６１ｃ１内の全てのタグＩＤを選択したか否かを判定する。
次の処理は、管理情報６１ｃ１内の全てのタグＩＤが選択済みではない場合には、再びステップＳ１１に進められ、管理情報６１ｃ１内の全てのタグＩＤが選択済みである場合には、検出情報更新処理を終了する。
【００８５】
以上により、管理サーバ６０により検出情報更新処理が行われる。
すなわち、管理情報６１ｃ１において、検出情報が「検出中」である場合、当該検出情報に対応するＲＦＩＤタグ４７は、第１，第２ＲＦＩＤリーダ２０，３０の読み取り範囲である所定の領域内に存在することが示される。
【００８６】
次に、図７のシーケンス図におけるステップＳ２３の決済端末確認処理について、図９を用いて説明する。
図９は、第２の実施の形態の管理サーバで実行される決済端末確認処理を示すフローチャートである。
【００８７】
管理サーバ６０の制御ユニット（ＣＰＵ）は、ステップＳ２２の後、以下の処理を実行する。
［ステップＳ２３ａ］  管理サーバ６０は、決済サーバ５０から、端末ＩＤを受信する（図６のステップＳ２１に対応）。
【００８８】
［ステップＳ２３ｂ］  管理サーバ６０（決済可否通知部）は、管理情報６１ｃ１内にステップＳ２３ａで受信した端末ＩＤが含まれているか否かを判定する。
次の処理は、管理情報６１ｃ１内にステップＳ２３ａで受信した端末ＩＤが含まれている場合には、ステップＳ２３ｃに進められ、管理情報６１ｃ１内にステップＳ２３ａで受信した端末ＩＤが含まれていない場合には、ステップＳ２３ｅに進められる。
【００８９】
［ステップＳ２３ｃ］  管理サーバ６０（決済可否通知部）は、ステップＳ２３ａで受信した端末ＩＤに対応する検出情報が検出中であるか否かを判定する。
次の処理は、ステップＳ２３ａで受信した端末ＩＤに対応する検出情報が検出中である場合には、ステップＳ２３ｄに進められ、ステップＳ２３ａで受信した端末ＩＤに対応する検出情報が検出中ではない（未検出である）場合には、ステップＳ２３ｅに進められる。
【００９０】
［ステップＳ２３ｄ］  管理サーバ６０（決済可否通知部）は、決済サーバ５０に、決済サーバ５０から通知された端末ＩＤにより識別される決済端末４０が正常に所定領域内に存在していることを判定する。
【００９１】
［ステップＳ２３ｅ］  管理サーバ６０（決済可否通知部）は、決済サーバ５０に、決済サーバ５０から通知された端末ＩＤにより識別される決済端末４０が検出されていないこと（決済端末４０が異常であること）を判定する。
【００９２】
以上により、管理サーバ６０は、決済サーバ５０から通知された端末ＩＤにより識別され、決済処理を実行させようとしている決済端末４０が所定領域内に存在しているか否かを判定することができる。
【００９３】
上記決済システム８０では、管理サーバ６０は、第１，第２ＲＦＩＤリーダ２０，３０と決済端末４０を識別する端末ＩＤとＲＦＩＤタグ４７を識別するタグＩＤと第１，第２ＲＦＩＤリーダ２０，３０の読み取り範囲で当該ＲＦＩＤタグ４７が検出されているか否かを表す検出情報とが予め対応付けられている管理情報６１ｃ１を保持している。管理サーバ６０が、ＲＦＩＤ制御装置１０から取得したＲＦＩＤタグ４７のタグＩＤに対応する検出情報を更新する。管理サーバ６０は、決済サーバ５０から決済端末確認要求を受け付けると、管理情報６１ｃ１を参照して、決済サーバ５０から取得した決済端末４０の端末ＩＤに対応する検出情報に基づいて決済サーバ５０に決済端末が正常であるか否かを通知する。
【００９４】
これにより、第１，第２ＲＦＩＤリーダ２０，３０の読み取り範囲に対応する所定領域内にのみ存在する決済端末４０からの決済処理が決済サーバ５０により正常に行われるようになる。したがって、決済端末４０が所定領域外に持ち出されて、当該決済端末４０により不正に決済することが防止されるようになる。
【００９５】
［第３の実施の形態］
第３の実施の形態では、第２の実施の形態の決済処理において、管理サーバ６０の決済端末確認処理で異常が判別された際に、管理サーバ６０が別の処理を実行する場合について説明する。
【００９６】
なお、第３の実施の形態でも、第２の実施の形態と同様の決済システム８０が用いられる。このため、決済システム８０の説明については省略する。
次に、決済システム８０で実行される決済処理について図１０を用いて説明する。
【００９７】
図１０は、第３の実施の形態の決済システムで実行される決済処理を示すシーケンス図である。
なお、図１０のシーケンス図における処理でも、第２の実施の形態と同様に、管理サーバ６０により検出情報更新処理（図８）と決済端末確認処理（図９）とがそれぞれ実施される。
【００９８】
また、図１０のシーケンス図は、図７のシーケンス図と同様にステップＳ２０〜Ｓ２７の処理が実行される。このため、これらの処理の説明については省略する。
［ステップＳ２８ａ］  管理サーバ６０（決済可否通知部）は、ステップＳ２４で、決済サーバ５０から通知された端末ＩＤにより識別される決済端末４０が正常に所定領域内に存在していない（異常がある）ことを判定すると以下の処理を実行する。すなわち、管理サーバ６０は、決済端末４０に、決済端末４０の利用を停止するための停止要求確認電文を通知する。
【００９９】
以上により、決済端末４０は決済の処理を行うことを停止して、店員は決済端末４０による決済処理を行うことができない。
上記決済システム８０では、管理サーバ６０は、決済サーバ５０から決済端末確認要求を受け付けた際に、管理情報６１ｃ１を参照して、決済サーバ５０から取得した決済端末４０の端末ＩＤに対応する検出情報が未検出である場合に、決済端末４０に停止要求電文を通知して決済端末４０による決済を停止させる。
【０１００】
決済端末４０の利用の停止に、第２の実施の形態と異なり、決済サーバ５０を経由していないために、決済サーバ５０の処理の負荷を低減することができる。また、決済サーバ５０を経由せずに、直接決済端末４０に停止要求電文を通知しているために、決済端末４０の利用を迅速に停止することができる。
【０１０１】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１０２】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ（Compact Disc）−ＲＯＭ、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０１０３】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１０４】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１０５】
また、プログラムで記述された処理の一部または全てを、電子回路に置き換えることが可能である。例えば、上記の処理機能の少なくとも一部を、ＤＳＰ、ＡＳＩＣ（Application Specific Integrated Circuit）、ＰＬＤ（Programmable Logic Device）等の電子回路で実現してもよい。
【符号の説明】
【０１０６】
１  決済受付装置
１ａ  無線タグ
１ａ１  第１識別情報
１ｂ  第１記憶部
１ｂ１  決済情報
１ｂ２  第２識別情報
２  決済処理装置
２ａ  第２記憶部
２ｂ  決済処理部
３  リーダ装置
４  情報管理装置
４ａ  第３記憶部
４ａ１  管理情報
４ｂ  タグ情報更新部
４ｃ  決済可否通知部
５  決済システム
【図１】
2018180572.tif 000003
【図２】
2018180572.tif 000004
【図３】
2018180572.tif 000005
【図４】
2018180572.tif 000006
【図５】
2018180572.tif 000007
【図６】
2018180572.tif 000008
【図７】
2018180572.tif 000009
【図８】
2018180572.tif 000010
【図９】
2018180572.tif 000011
【図１０】
2018180572.tif 000012